(57)【特許請求の範囲】
【請求項１】
伸縮ブームと、その先端部に設けられたジャッキ把持部と、前記伸縮ブームの回転支持部と、前記伸縮ブームの揺動装置とからなり、前記回転支持部を中押し管の内壁低位置に固定し、該回転支持部に前記伸縮ブーム後端を前記中押し管の中心線方向と平行のヒンジピンにより揺動自在に連結してなり、前記ジャッキ把持部により把持した中押しジャッキを前記伸縮ブームの伸縮と前記揺動装置の駆動とにより、該中押しジャッキを前記中押し管内壁の所定位置に持ち上げるようにした中押しジャッキ取扱い装置。
【請求項２】
前記の中押し管の内壁面低位置にジャッキ仮置き台を設置してなる請求項１に記載の中押しジャッキ取扱い装置。
【請求項３】
前記の揺動装置は、前記の伸縮ブームの一部に取り付けたワイヤーと、前記中押し管内壁面高位置に取り付けた滑車と、前記中押し管内壁面の適宜位置に取り付けた巻取り引装置とからなり、前記ワイヤーを前記滑車を経て前記巻取り装置で巻き取るようにした請求項１又は２に記載の中押しジャッキ取扱い装置。
【発明の詳細な説明】
【０００１】
【発明の属する技術分野】
この発明は、推進工法により地中に管路を構築する場合に用いられる中押しジャッキの取扱い装置に関するものである。
【０００２】
【従来の技術】
推進工法により地中に管路を構築する場合、推進距離が一定以上に長くなったり、カーブ部分があったりする場合には、元押し側の推進力の不足を補うために推進管路の途中に中押し管を介在し、その中押し管に中押しジャッキを取り付け、その中押しジャッキによる推進、いわゆる中押しが行われる。
【０００３】
前記の中押しジャッキは、１カ所の中押し管当たり、標準的な径の場合で、最大１４本使用され、通常は地上において中押し管の内周面に中押しジャッキを取り付けておき、推進を行いながら適宜な位置で推進管と推進管との間にその中押し管を介在させるようにしている。前記の中押し管とそれに取り付けた中押しジャッキは、通常は、管路の構築が完了した後においても除去することなく、中押し管の内周面に充填されるモルタル中に埋め込まれる。
【０００４】
しかしながら、前記の中押し管とそれに取り付けられた中押しジャッキは、施工現場の種々の事情により使用されないことがしばしばあり、工事のコストに対する影響が問題となる。
【０００５】
この対策として、中押しジャッキを取り付けることなく、その取り付け部のみを設けた中押し管を所定位置に介在させて推進を行い、実際に中押しを行う必要が生じた場合には、推進管内に中押しジャッキを搬入し、その中押しジャッキを簡単な工具を用いた作業者の手作業により取り付け、工事の完了後にはこれを撤去することにより、工事のコストの低減を図る方法がとられている。
【０００６】
【発明が解決しようとする課題】
しかしながら、狭い推進管の内部で１００キログラム弱の中押しジャッキを中押し管内壁に取り付ける作業、特にその天井部に取り付ける作業は危険で難渋な作業である。また、その撤去作業についても同様のことがいえる。
【０００７】
そこで、この発明は、前記の中押しジャッキの取り付け作業と撤去作業が、容易かつ安全に行える中押しジャッキ取扱い装置を提供することを課題とする。
【０００８】
【課題を解決するための手段】
上記の課題を解決するために、この発明にかかる中押しジャッキ取扱い装置は、伸縮ブームと、その先端部に設けられたジャッキ把持部と、前記伸縮ブームの回転支持部と、前記伸縮ブームの揺動装置とからなり、前記回転支持部を中押し管の内壁低位置に固定し、該回転支持部に前記伸縮ブーム後端を前記中押し管の中心線方向と平行のヒンジピンにより揺動自在に連結してなり、前記ジャッキ把持部により把持した中押しジャッキを前記伸縮ブームの伸縮と前記揺動装置の駆動とにより、該中押しジャッキを前記中押し管内壁の所定位置に持ち上げるようにしたものである。
【０００９】
前記の装置を用いると、伸縮ブームの先端部のジャッキ把持部で把持した中押しジャッキを、伸縮装置と揺動装置の作動により中押し管の高所に容易に持ち上げることができる。
【００１０】
前記の中押し管の内壁面低位置にジャッキ仮置き台を設置してなる構成をとることができる。このような仮置き台を設けると、中押しジャッキを一時的にこれに載置できる便利さがある。
【００１１】
なお、前記の揺動装置は、前記の伸縮ブームの一部に取り付けたワイヤーと、前記中押し管内壁面高位置に取り付けた滑車と、前記中押し管内壁面の適宜位置に取り付けた巻取り引装置とからなり、前記ワイヤーを前記滑車を経て前記巻取り装置で巻き取るようにした構成をとることができる。
【００１２】
【発明の実施の形態】
以下、この発明の実施形態を図１及び図２に基づいて説明する。まず中押し管１について説明する。中押し管１は、中押し外管２と中押し内管３との組み合わせからなる。中押し外管２は推進方向（矢印Ａ参照）の前部に配置され、中押し内管３は中押し外管２の後部からその内径面に嵌合される。
【００１３】
中押し外管２は鋼鈑製の金属管部４とその前端に同芯・同一外径に形成され一体化されたコンクリート管部５とにより構成される。金属管部４の内径面においてその前端部に近い位置に内つば６が設けられ、その内つば６の外面と金属管部４の内径面に前記のコンクリート管部５の後端部が一体化される。
【００１４】
前記の内つば６の後面に、ボルト７により当て輪８が着脱可能に取り付けられている。ボルト７はコンクリート管部５に埋設されたナット９に螺合される。前記の当て輪８はチャンネル状の鋼製リングにより構成され、全周にわたり内側に多数のリブ１１が設けられる。
【００１５】
なお、前記のコンクリート管部５の先端部は、前位の推進管１０の後端部に差し込まれる。
【００１６】
一方、前記の中押し内管３は、図１に示すように、鋼鈑製の金属管部１２の後端部に断面Ｌ字形の差し口用リング１３を接合一体化したものである。その差し口用リング１３に後位の推進管１４の先端部が差し込まれる。また、前記差し口用リング１３と対向して金属管部１２の内径面に内つば１５が設けられ、その内つば１５と差し口用リング１３との間に多数の補強リブ１６が設けられる。
【００１７】
さらに、金属管部１２の先端に内向きの先端つば１７が設けられ、前記の内つば１５と先端つば１７の間には、周方向に等間隔をおいて１４本の補強リブ２０が長さ方向に設けられる（図２参照）。これらの各補強リブ２０の間が中押しジャッキ１８の取付け部１９となり、各取付け部１９ごとに先端つば１７の内周縁には中押しジャッキ１８の先端部の位置決め凹所２１が設けられる。
【００１８】
以上述べた中押し管１の内部に中押しジャッキ取扱い装置２２が取り付けられる。この中押しジャッキ取扱い装置２２を構成する伸縮ブーム２３は、図２に示すように、角筒状のケーシング２４の内部に自動伸縮アーム２５、その自動伸縮アーム２５内に手動伸縮アーム２６を順に入れ子式に収納したものである。自動伸縮アーム２５はケーシング２４の外側に取り付けた油圧シリンダー２７のピストンロッド２８にブラケット２９を介して連結される。また、手動伸縮アーム２６は、前記のブラケット２９を経て自動伸縮アーム２５の部分に抜き差し自在に挿入したピン３１を手動伸縮アーム２６に設けた所定のピン孔２６ａに通すことにより位置めされる。また、手動伸縮アーム２６の先端にジャッキ把持部３２が設けられる。
【００１９】
ジャッキ把持部３２は、中押しジャッキ１８の胴部を受け入れる大きさに開放されたコの字形の枠部材により構成され、その先端部の左右に上下一対の把持用ボルト３３、３３が開口部の内側に突出するように螺入されている。
【００２０】
前記伸縮ブーム２３のケーシング２４の後端部は、中押し管１の中心線方向と平行のヒンジピン３４を介して回転支持部３５に揺動自在に連結される。回転支持部３５は前記の補強リブ２０のうち比較的低位置（図示の場合は、中間高さの補強リブ２０から１つ下がった位置）のものにボルト３６で固定された部材により構成される。
【００２１】
前記の伸縮ブーム２３を前記ヒンジピン３４を中心として揺動させる揺動装置３７は、前記のケーシング２４の先端上部に固着されたブラケット３８と、そのブラケット３８に一端部が連結されたワイヤー３９、前記中押し管１の補強リブ２０のうち比較的高位置（図示の場合は、頂部の補強リブ２０から前記支持部３５側へ１つ片寄った位置）のものに支持金具４１を介して取り付けられた滑車４２、及び前記回転支持部３５近辺の補強リブ２０に支持金具４３を介して取り付けられた巻取り装置４４とにより構成される。前記のワイヤー３９は滑車４２に掛けられ巻取り装置４４に巻き取られる。
【００２２】
前記の中押し管１の内周面において、前記支持部３５とほぼ同じ高さで対向した補強リブ２０に左右一対のジャッキ仮置き台４５，４５（図１参照）がボルト４６で固定される。
【００２３】
実施形態の中押しジャッキ取扱い装置２２は以上のようなものであり、推進工法の実施に際しては、中押しジャッキ１８を取り付けていない中押し管１を所定間隔で前位の推進管１０と後位の推進管１４との間に介在させて推進を行う。推進の途中で中押しの必要が生じた場合は、その必要が生じた部分の中押し管１の部分にジャッキ取扱い装置２２の構成部材を搬入し組立を行う。
【００２４】
その組立は、支持部３５の固定、滑車４２、巻取り装置４４の取り付け、ジャッキ仮置き台４５の固定等を行い、次に伸縮ブーム２３を前記の支持部３５に連結し、さらにワイヤー３９を掛け通す。また、油圧シリンダー２７への油圧供給の準備を行う。
【００２５】
このような準備作業を終えたのち、搬入された中押しジャッキ１８を一旦ジャッキ仮置き台４５上に置き、伸縮ブーム２３の手動伸縮アーム２６をピン３１により所定長さに伸ばして中押しジャッキ１８をジャッキ把持部３２の開口内に入れ、把持用ボルト３３を螺入する。これにより中押しジャッキ１８が把持される。
【００２６】
次に、巻取り装置４４を手動で駆動してワイヤー３９を所定量巻き取ると、伸縮ブーム２３が所定角度起き上がる。そこで、油圧シリンダー２７を駆動させた自動伸縮アーム２５を伸張させるとジャッキ把持部３２が中押し管１の内周壁まで伸び、その先端部が取付け部１９の位置決め凹所２１に嵌合される（図２の一点鎖線参照）。この状態にまで持ち上げられ位置決めされた中押しジャッキ１８の胴部２カ所に作業者が締め付けバンド４７を巻き、中押し管１の内壁面にボルト４８により固定する。以下同様の作業を繰り返して中押しジャッキ１８を頂部まで取り付ける。
【００２７】
次に、前記のジャッキ取扱い装置２２を左右対称位置に付け替え、反対側の内壁面の各取付け部１９に前記と同様の作業により中押しジャッキ１８を取り付ける。
【００２８】
なお、伸縮ブーム２３より低い位置においては、中押しジャッキ１８を持ち上げる必要はないので、直接所定の取付け部１９に取り付ける。
【００２９】
前記の中押しジャッキ取扱い装置２２は、取り外すことなく推進が継続され、推進完了後にその装置２２を用いて中押しジャッキ１８を取り外す。その取り外し作業は、前述の取り付け作業と逆の手順により行われる。取り外し作業の完了後、該ジャッキ取扱い装置２２も取り外される。
【００３０】
【発明の効果】
以上のように、この発明は中押し管の内周面に中押しジャッキを取り付ける作業及び取り外す作業において、ジャッキ把持部を有する伸縮ブームを適宜揺動・伸縮させて中押しジャッキを高所に持ち上げ、また高所から降ろすことが出きるので、作業者の労力が著しく軽減され、作業性と安全性を向上することができる。
【図面の簡単な説明】
【図１】実施形態の断面図
【図２】同上の図１におけるII−II線の断面図
【符号の説明】
１  中押し管
２  中押し外管
３  中押し内管
４  金属管部
５  コンクリート管部
６  内つば
７  ボルト
８  当て輪
９  ナット
１０  推進管
１１  リブ
１２  金属管部
１３  差し口用リング
１４  推進管
１５  内つば
１６  補助リブ
１７  先端つば
１８  中押しジャッキ
１９  取付け部
２０  補強リブ
２１  位置決め凹所
２２  中押しジャッキ取扱い装置
２３  伸縮ブーム
２４  ケーシング
２５  自動伸縮アーム
２６  手動伸縮アーム
２６ａ  ピン孔
２７  油圧シリンダー
２８  ピストンロッド
２９  ブラケット
３１  ピン
３２  ジャッキ把持部
３３  把持用ボルト
３４  ヒンジピン
３５  回転支持部
３６  ボルト
３７  揺動装置
３８  ブラケット
３９  ワイヤー
４１  支持金具
４２  滑車
４３  支持金具
４４  巻取り装置
４５  ジャッキ仮置き台
４６  ボルト
４７  締め付けバンド
４８  ボルト
【図１】
0003774157.tif 000002
【図２】
0003774157.tif 000003